(57)【要約】【課題】建築物の床面施工構造において、簡単な構成で、コンクリートスラブの上面に不陸が発生するのを極力抑制することにある。【解決手段】地盤の建築用面域（２）に砕石層（３）を設け、砕石層（３）の上方且つ水平方向にスラブ筋（６）を配設し、スラブ筋（６）を埋めるようにして天端レベル（Ｌ）までコンクリートスラブ（２６）を打設し、コンクリートスラブ（２６）上にタイル（２８）を敷設する建築物の床面施工構造（１）において、砕石層（３）上に配置されたサポート部材（９）と、サポート部材（９）に立設されて天端ポイント部（１１）を備えた天端レベル調整用部材（１０）とからなる天端レベル設定手段（８）を設けている。【選択図】図１
2015021264.tif 000002
【特許請求の範囲】
【請求項１】
地盤の建築用面域に砕石層を設け、前記砕石層の上方且つ水平方向にスラブ筋を配設し、前記砕石層上には前記スラブ筋を埋めるようにして天端レベルまでコンクリートスラブを打設し、前記コンクリートスラブ上にタイルを敷設する建築物の床面施工構造において、前記砕石層上に配置されたサポート部材と、前記天端レベルの指標となる天端ポイント部を備えて前記サポート部材に立設された天端レベル調整用部材とを備える天端レベル設定手段を設けたことを特徴とする建築物の床面施工構造。
【請求項２】
前記天端レベル設定手段は、前記コンクリートスラブの打設時に前記天端レベルを作業者に注視させるための天端レベル目印部材を備えることを特徴とする請求項１に記載の建築物の床面施工構造。
【請求項３】
前記天端レベル目印部材は、前記天端レベル調整用部材の前記天端ポイント部に設けられたことを特徴とする請求項２に記載の建築物の床面施工構造。
【請求項４】
地盤の建築用面域に砕石層を設け、前記砕石層の上方且つ水平方向にスラブ筋を配設し、前記砕石層上には前記スラブ筋を埋めるようにして天端レベルまでコンクリートスラブを打設し、前記コンクリートスラブ上にタイルを敷設する建築物の床面施工構造において、前記砕石層上に前記コンクリートスラブを固定するための固定用部材を立設し、前記固定用部材には、天端レベルを作業者に注視させるための天端レベル目印部材を備えた天端レベル設定手段を設けたことを特徴とする建築物の床面施工構造。
【請求項５】
前記天端レベル設定手段は、前記固定用部材の上部に取り付けられた天端レベル調整用部材と、前記天端レベル調整用部材に取り付けられた前記天端レベル目印部材とを備えることを特徴とする請求項４に記載の建築物の床面施工構造。
【発明の詳細な説明】
【技術分野】
【０００１】
この発明は、建築物の床面施工構造に係り、特にコンクリートスラブの上面に不陸が発生するのを抑制する建築物の床面施工構造に関する。
【背景技術】
【０００２】
建築物の床面施工構造においては、地盤の建築用面域に砕石層を設け、砕石層の上方且つ水平方向にスラブ筋を配設し、砕石層上には前記スラブ筋を埋めるようにして天端レベルまでコンクリートスラブを打設し、コンクリートスラブ上にタイルを敷設している。
【０００３】
例えば、図２１、図２２に示すように、地盤の建築用面域２０１には、所定高さ（例えば、１００ｍｍ）の砕石層２０２が設けられる。この砕石層２０２上には、鉄筋を網目状に並んで構成したスラブ筋２０３が上方且つ水平方向に保持台２０４によって支持されている。
砕石層２０２には、スラブ筋２０３に接しないように、天端レベル設定手段２０５として、天端レベルＬを指標する天端マーク２０６を備えた天端レベル部材２０７が立設されている。
その後、砕石層２０２上には、図２２に示すように、コンクリートスラブ２０８が、天端マーク２０６を指標として所定厚さ（例えば、１５０ｍｍ）まで打設される。このコンクリートスラブ２０８は、多量の砂とセメントを混ぜて生成される。
このコンクリートスラブ２０８上には、例えば、接着層（接着剤、張り付けモルタル）２０９により、複数のタイル２１０を敷設している。
【０００４】
また、例えば、図２３、図２４に示すように、地盤の建築用面域３０１には、所定高さ（例えば、１００ｍｍ）の砕石層３０２が設けられる。この砕石層３０２には、鉄筋を網目状に並んで構成したスラブ筋３０３が上方且つ水平方向に保持台３０４によって支持されている。
砕石層３０２には、スラブ筋３０３に接しないように、天端レベル設定手段３０５が立設される。
この天端レベル設定手段３０５は、砕石層３０２に打ち込んで立設される固定用部材３０６と、スラブ筋３０３よりも下方で固定用部材３０６の上部に連結された断面Ｃ字形状のブラケット３０７と、このブラケット３０７に支持されて上部に天端ポイント部３０８を備える天端レベル調整用部材３０９とからなる。この天端レベル調整用部材３０９は、ブラケット３０７のねじ孔に螺着され、その高さが調整用ナット３１０によって設定される。
その後、砕石層３０２上には、図２４に示すように、コンクリートスラブ３１１が、天端ポイント部３０８を指標として所定厚さ（例えば、１５０ｍｍ）まで打設される。このコンクリートスラブ３１１は、多量の砂とセメントを混ぜて生成される。
このコンクリートスラブ３１１上には、例えば、接着層（接着剤、張り付けモルタル）３１２により、複数のタイル３１３を敷設している。
このような建築物の床面施工構造としては、以下の先行技術文献がある。
【先行技術文献】
【特許文献】
【０００５】
【特許文献１】特開２０１０−１６８８８４号公報  特許文献１に記載の固定具およびこれを用いたコンクリート天端スペーサーは、ねじ棒（天端レベル調整用部材）の下部を鉄筋に取り付けるものであって、ねじ棒（天端レベル調整用部材）の上部には天端表示部材（天端ポイント部）が取り付けられている。
【発明の概要】
【発明が解決しようとする課題】
【０００６】
ところが、従来、図２１、図２２に示す建築物の床面施工構造では、多量の砂とセメントとを混ぜてコンクリートスラブ２０８を生成することから、作業者による砂とセメントとの配合調整が不良の場合に、各箇所で収縮率が異なってコンクリートスラブ２０８の上面Ｆに不陸が発生しやすくなる。
また、天端レベル部材２０７が砕石層２０２に打ち込まれて砕石層２０２の上面と天端マーク２０６までの高さが大きいので、コンクリートスラブ２０８の打設時にスラブ筋２０３の上面を歩く作業員が天端レベル部材２０７にぶつかる等して、天端レベル部材２０７が損傷したり、天端レベル部材２０７が倒れて天端マーク２０６の位置が他の天端レベル部材の天端マークの位置と異なってしまう。このため、作業者が、正確に天端レベル部材２０７の天端マーク２０６に合わせてコンクリートスラブ２０８を打設しても、実際の天端レベルとは異なり、コンクリートスラブ２０８の上面に不陸を生じさせるおそれがあった。
この結果、平均２５％のタイルの浮きが発生するという不都合があった。
【０００７】
また、図２３、図２４に示す建築物の床面施工構造では、コンクリートスラブ３１１の打設時にスラブ筋３０３の上面を歩く作業員が天端レベル調整用部材３０９にぶつかる等して、天端ポイント部３０８が損傷したり、天端レベル調整用部材３０９が倒れて天端ポイント部３０８が他の天端レベル調整用部材の天端ポイント部の位置と異なってしまう。このため、コンクリートスラブ３１１の打設時に、コンクリートスラブ３１１の上面Ｆが部分的に天端ポイント部よりも高くなり、平均±７〜２０ｍｍの不陸が発生してしまっていた。また、タイル３１３の裏面にクシ目ごてを施すことから、作業者の熟練度によっては、接着剤の量にムラが発生していた。
この結果、、平均１０％のタイルの浮きが発生するという不都合があった。
【０００８】
更に、上記の特許文献１では、天端表示部材（天端ポイント部）を取り付けたねじ棒（天端レベル調整用部材）がスラブ筋の鉄筋の一部に固定されることから、コンクリートスラブの打設時に作業者がスラブ筋の上面を歩いてスラブ筋が下方へゆがんだ場合に、天端表示部材（天端ポイント部）が所要高さよりも低くなってしまい、不陸が発生しやすいという不都合があった。
【０００９】
そこで、この発明は、簡単な構成で、コンクリートスラブの上面に不陸が発生するのを極力抑制することができる建築物の床面施工構造を提供することを目的とする。
【課題を解決するための手段】
【００１０】
この発明は、地盤の建築用面域に砕石層を設け、前記砕石層の上方且つ水平方向にスラブ筋を配設し、前記砕石層上には前記スラブ筋を埋めるようにして天端レベルまでコンクリートスラブを打設し、前記コンクリートスラブ上にタイルを敷設する建築物の床面施工構造において、前記砕石層上に配置されたサポート部材と、前記天端レベルの指標となる天端ポイント部を備えて前記サポート部材に立設された天端レベル調整用部材とからなる天端レベル設定手段を設けたことを特徴とする。
【発明の効果】
【００１１】
この発明は、天端レベル調整用部材をサポート部材に支持して天端レベル調整用部材が倒れるのを防止したり、天端レベル調整用部材の天端ポイント部に天端レベル目印部材を設けて作業者に天端レベルを注視させることにより、簡単な構成で、コンクリートスラブの上面に不陸が発生するのを極力抑制することができる。
【図面の簡単な説明】
【００１２】
【図１】図１は図２の建築物の床面施工構造の拡大断面図である。（実施例１）
【図２】図２は建築物の床面施工構造の断面図である。（実施例１）
【図３】図３は建築物の床面施工構造においてタイルを設置した状態の断面図である。（実施例１）
【図４】図４は建築用面域にスラブ筋を配置した状態の斜視図である。（実施例１）
【図５】図５（Ａ）は天端レベル目印部材を設けた天端ポイント部の側面図である。図５（Ｂ）は天端レベル目印部材を設けた天端ポイント部の平面図である。（実施例１）
【図６】図６（Ａ）は天端レベル目印部材を設けた天端ポイント部の側面図である。図６（Ｂ）は天端レベル目印部材を設けた天端ポイント部の平面図である。（変形例１）
【図７】図７は天端レベル目印部材を設けた天端ポイント部の側面図である。（変形例２）
【図８】図８は天端レベル目印部材を設けた天端ポイント部の側面図である。（変形例３）
【図９】図９は天端レベル目印部材を設けた天端ポイント部の側面図である。（変形例４）
【図１０】図１０は天端レベル目印部材を設けた天端ポイント部の側面図である。（変形例５）
【図１１】図１１は天端レベル目印部材を設けた天端ポイント部の側面図である。（変形例６）
【図１２】図１２は天端レベル目印部材を設けた天端ポイント部の側面図である。（変形例７）
【図１３】図１３は天端レベル目印部材を設けた天端ポイント部の側面図である。（変形例８）
【図１４】図１４は下部の径を上部の径よりも大きくした天端レベル調整用部材の側面図である。（変形例９）
【図１５】図１５は図１６の建築物の床面施工構造の拡大断面図である。（実施例２）
【図１６】図１６は建築物の床面施工構造の断面図である。（実施例２）
【図１７】図１７は建築物の床面施工構造においてタイルを設置した状態の断面図である。（実施例２）
【図１８】図１８は建築用面域にスラブ筋を配置した状態の斜視図である。（実施例２）
【図１９】図１９は建築物の床面施工構造の拡大断面図である。（変形例１０）
【図２０】図２０は建築物の床面施工構造の拡大断面図である。（変形例１１）
【図２１】図２１は従来において建築物の床面施工構造の断面図である。（従来例１）
【図２２】図２２は従来においてタイルを設置した状態の断面図である。（従来例１）
【図２３】図２３は従来において建築物の床面施工構造の断面図である。（従来例２）
【図２４】図２４は従来においてタイルを設置した状態の断面図である。（従来例２）
【発明を実施するための形態】
【００１３】
この発明は、簡単な構成で、コンクリートスラブの上面に不陸が発生するのを極力抑制する目的を、天端レベル調整用部材をサポート部材に支持して天端レベル調整用部材が倒れるのを防止したり、天端レベル調整用部材の天端ポイント部に設けた天端レベル目印部材によって作業者に天端レベルを注視させて実現するものである。
【実施例１】
【００１４】
図１〜図５は、この発明の実施例１を示すものである。
図１〜図３に示すように、建築物の床面施工構造１において、地盤の建築用面域２には、砕石層３が設けられる。この砕石層３は、砕石４が積み重なって、所定高さ（例えば１００ｍｍ）に形成される。
砕石層３の上方には、図４に示すように、鉄筋５・５を網目状に並んで構成したスラブ筋６が、複数の保持台７によって砕石層３の上面から所定高さで水平方向に配置されている。
【００１５】
図１、図２に示すように、砕石層３には、天端レベル設定手段８が設置される。
この天端レベル設定手段８は、サポート部材９と天端レベル調整用部材１０とからなり、建築用面域２の所要の複数箇所で且つ所定間隔（例えば、２ｍ）に配置される。
サポート部材９は、この実施例１では、スラブ筋６の下面に達するように、砕石層３上に設置されている。天端レベル調整用部材１０は、サポート部材９に立設されて上端に天端ポイント部１１を備える。なお、サポート部材９は、スラブ筋６の下面に達っしないように、設置することも可能である。
サポート部材９には、略中央部位で上下方向に貫通する貫通孔１２と、この貫通孔１２の周辺で上方に開口した支持穴１３・１３とが形成されている。
サポート部材９の貫通孔１２には、円筒形状のスペーサ１４が挿着される。このスペーサ１４には、上方から固定用部材１５が貫通する。
【００１６】
この固定用部材１５は、下端が砕石層３中に挿入して固定されるとともに、上端にねじ部１６を形成して、サポート部材９の上面よりも上方に突出している。
また、この固定用部材１５は、天端レベル調整用部材１０をサポート部材９に支持して天端レベル調整用部材１０が倒れるのを防止するものである。そして、この固定用部材１５は、サポート部材９中を通過していることから、砕石層３に打ち込まれるだけで、天端レベル調整用部材１０が倒れるのを防止することができ、従来のように、砕石層３の下方の地盤中に深く打ち込む必要がなくなり、従って、従来の長さよりも短くすることができ、打ち込み作業等を容易にすることができる。
なお、天端レベル設定手段８のサポート部材９としては、例えば、スラブ筋６の保持台７を用いることも可能である。
【００１７】
固定用部材１５のねじ部１６には、上方からワッシャ１７を介して固定用ナット１８が螺着される。そして、この固定用ナット１８を締め付けることにより、サポート部材９が砕石層３に固設される。
サポート部材９の支持穴１３には、内面にねじ孔１９を形成した円筒形状のスペーサ２０が挿着される。
このスペーサ２０には、天端レベル調整用部材１０が取り付けられる。
この天端レベル調整用部材１０は、スペーサ２０のねじ孔１９に螺着されるねじ部２１が形成されているとともに、上部に天端ポイント部１１を備える。また、天端レベル調整用部材１０のねじ部２１には、天端レベル調整用部材１０の高さ位置を固定する調整用ナット２２が螺着される。
この天端ポイント部１１は、頂部が円弧形状に形成され、天端レベルＬを指標するものであり、また、天端レベルの測量に関して基準となるものである。
このように、サポート部材９上に天端レベル調整用部材１０を設置したことから、従来では、砕石層３上に直接立設していたことを鑑みると、天端レベル調整用部材１０自体の長さを従来の長さよりも短くすることができ、これにより、剛性を高くして、スラブ筋６上で作業する作業者がぶつかったとしても、天端レベル調整用部材１０を倒れにくくすることができる。
【００１８】
図１、図２、図５に示すように、天端ポイント部１１には、天端レベルＬを作業者に注視させるための天端レベル目印部材２３が設けられる。
この実施例１において、天端レベル目印部材２３は、天端ポイント部１１の略中央部位に所定の固着手段によって固着され且つ斜め上方に離れるように立ち上がる３本の立上り材２４−１〜２４−３と、これら３本の立上り材２４−１〜２４−３の各先端を連結する連結材２５−１〜２５−３とからなる。
【００１９】
そして、図１〜図３に示すように、地盤の建築用面域２には、スラブ筋６を埋めるようにして、天端レベルＬまで、コンクリートスラブ（床版）２６が打設される。コンクリートスラブ２６は、多量の砂とセメントを混ぜて生成される。
このコンクリートスラブ２６の打設は、天端ポイント部１１の高さである天端レベルＬまでの所定厚さ（例えば、１５０ｍｍ）で実施される。
このとき、コンクリートスラブ２６の打設の作業者は、天端ポイント部１１及び天端レベル目印部材２３を目安にコンクリートスラブ２６の打設をすることができる。この場合、作業者は、その作業に不慣れであっても、天端レベル目印部材２３に注目してコンクリートスラブ２６の打設を実施するので、天端レベルＬに合わせるようにしてコンクリートスラブ２６の上面Ｆを所要高さにすることができる。
【００２０】
コンクリートスラブ２６の上面Ｆには、例えば、裏面の接着層（接着剤、張り付けモルタル）２７により、複数のタイル２８が並べて所要箇所に敷設される。
その後、天端レベル目印部材２３は、天端ポイント部１１から取り外される。
【００２１】
以上、この発明の実施例１について説明してきたが、上述の実施例１の構成を請求項毎にあてはめて説明する。
先ず、請求項１に係る発明では、天端レベル設定手段８は、砕石層３上に配置されたサポート部材９と、天端レベルＬの指標となる天端ポイント部１１を備えてサポート部材９に立設された天端レベル調整用部材１０とからなる。
これにより、天端ポイント部１１を備えた天端レベル調整用部材１０をサポート部材９に堅固に支持することができ、コンクリートスラブ２６の打設時に作業者が天端レベル調整用部材１０にぶつかったとしても、天端ポイント部１１が損傷したり、天端レベル調整用部材１０が倒れるのを回避して天端ポイント部１１の位置がずれのを防止し、各地点における天端ポイント部１１の位置変動を防止することができる。
この結果、簡単な構成で、コンクリートスラブ２６の上面Ｆの不陸の発生を極力抑制して（±３〜４ｍｍ）、タイル２８を安定して敷設することができる。
さらに、この実施例では、サポート部材９がスラブ筋６の下面に達するように配設されていることから、サポート部材９がスラブ筋６の保持台７としての機能をも果たし、コンクリートスラブ２６の打設時に作業者が歩くことによるスラブ筋６の沈み変形を防止することができる。
請求項２に係る発明では、天端レベル設定手段８には、コンクリートスラブ２６の上面Ｆを指標する天端レベルＬを作業者に注視させるための天端レベル目印部材２３を設けている。
これにより、コンクリートスラブ２６の打設時に、作業者がコンクリートスラブ２６の上面Ｆとなる天端レベルＬを容易に確認でき、不慣れな作業者でもコンクリートスラブ２６の上面Ｆを正確に施工することができ、不陸の発生を極力抑制することができる。
また、図５（Ａ）、図５（Ｂ）に示すように、天端レベル目印部材２３を立上り材２４−１〜２４−３と連結材２５−１〜２５−３とから構成したことにより、作業者が容易に天端レベルＬを確認することができ、また、立上り材２４−１〜２４−３が天端ポイント部１１上で一箇所に集中して設けられ且つ連結材２５−１〜２５−３が存在することから、天端レベル目印部材２３の取り外しを容易にすることができる。
請求項３に係る発明では、天端レベル目印部材２３は、天端レベル調整用部材１０の天端ポイント部１１に設けられている。
これにより、天端レベル設定手段８において、コンクリートスラブ２６の打設時に、作業者は、天端ポイント部１１と天端レベル目印部材２３とに注目することができ、天端レベルＬを作業者へ容易に確認させることができる。
【００２２】
なお、この実施例１においては、上記の天端レベル目印部材２３として、例えば、以下図６〜図１３に示すような変形例１〜８がある。
【００２３】
変形例１として、図６（Ａ）、図６（Ｂ）に示すように、天端レベル目印部材２３は、天端ポイント部１１の略中央部位に所定の固着手段により固着されて斜め上方に離れるように立ち上がる３本の立上り材３１−１〜３１−３からなる。これにより、コンクリートスラブ２６の上面Ｆを指標する天端レベルＬを作業者へ容易に認識させることができるとともに、構成を簡単にすることができ、しかも、一方の立上り材が損傷した場合でも、他方の立上り材によって天端レベルＬを作業者へ認識させることができる。
【００２４】
変形例２として、図７に示すように、天端レベル目印部材２３は、天端ポイント部１１の略中央部位から上方へ離れるように湾曲した２本の立上り材３２−１、３２−２からなる。これにより、コンクリートスラブ２６の上面Ｆを指標する天端レベルＬを立上り材３２−１、３２−２の分かれ目で作業者へ容易に確認させることができるとともに、さらに構成を簡単にすることができ、しかも、一方の立上り材が損傷した場合でも、他方の立上り材によって天端レベルＬを作業者へ認識させることができる。
【００２５】
変形例３として、図８に示すように、天端レベル目印部材２３は、天端ポイント部１１上でＷ形状の４本の立上り材３３−１〜３３−４からなる。これにより、天端レベル目印部材２２において、天端ポイント部１１上で天端レベル目印部材２３の２箇所の設置点Ｐ１、Ｐ２が存在し、より確実にコンクリートスラブ２６の上面Ｆを指標する天端レベルＬを作業者へ確認させることができる。
【００２６】
変形例４として、図９に示すように、天端レベル目印部材２３は、天端ポイント部１１の中央部位から外れた箇所で、上方へ離れるように湾曲した２本の立上り材３４−１、３４−２からなる。これにより、コンクリートスラブ２６の上面Ｆを指標する天端レベルＬを作業者へ容易に認識させることができるとともに、一方の立上り材が損傷した場合でも、他方の立上り材によって天端レベルＬを作業者へ認識させることができる
【００２７】
変形例５として、図１０に示すように、天端レベル目印部材２３は、天端ポイント部１１の側部に連設して天端レベルＬで折曲した天端マーク３５Ａから斜め上方に延びる立上り材３５からなる。これにより、コンクリートスラブ２６の上面Ｆを指標する天端レベルＬを作業者へ容易に認識させることができるとともに、天端ポイント部１１の頂点と天端マーク３５Ａとで天端レベルＬを確認させることができる。
【００２８】
変形例６として、図１１に示すように、天端レベル目印部材２３は、天端ポイント部１１の中央部位から外れた箇所で、上方に延びるループ材３６からなる。これにより、コンクリートスラブ２６の上面Ｆを指標する天端レベルＬを作業者へ容易に認識させることができるとともに、ループ材３６によって、より確実にコンクリートスラブ２６の上面Ｆを指標する天端レベルＬを作業者へ容易に確認させることができる。
【００２９】
変形例７として、図１２に示すように、天端レベル目印部材２３は、天端ポイント部１１の中央部位から末広がりに斜め上方へ延びるととともに、所定の高さＨ（例えば、天端ポイント部１１の上面から５ｍｍ程度）の箇所から鉛直方向の上方へ向かう２本の立上り材３７−１、３７−２からなる。また、この２本の立上り材３７−１、３７−２の一方の、例えば、立上り材３７−１には、低い側から順次に、所定間隔の一定の高さ位置Ｋ１〜Ｋ５で、５つの第１〜第５レベル表示部３８−１〜３８−５を設ける。この第１〜第５レベル表示部３８−１〜３８−５には、例えば、「１」〜「５」の異なる数字を設ける。なお、この第１〜第５レベル表示部３８−１〜３８−５には、数字以外に、異なる色や、記号などを設けることも可能である。
これにより、作業者が、高さＨの範囲内で、例えば、高さＨの半分の高さＭを目安に作業を容易に進めることができ、コンクリートスラブ２６の上面Ｆの作業効率を向上することができる。
【００３０】
変形例８として、図１３に示すように、天端レベル目印部材２３は、天端ポイント部１１の中央部位で鉛直上方へ向かうように立設された立上り材３９からなる。これにより、コンクリートスラブ２６の上面Ｆを指標する天端レベルＬを作業者へ容易に認識させることができるる。なお、この図１３において、立上り材３９には、所定の高さＨ（例えば、天端ポイント部１１の上面から５ｍｍ程度）までの間で、例えば、低い側から順次に、所定間隔の一定の高さ位置Ｓ１〜Ｓ５で、それぞれの高さを表示する表示部として、目印を刻設したり、目印用部材を付設することも可能である。
【００３１】
また、この実施例１では、変形例９として、図１４に示すように、天端レベル調整用部材１０において、下部のねじ部２１の径Ｄ１を、上部の軸部１０Ａの径Ｄ２よりも大きく形成することも可能である。これにより、天端レベル調整用部材１０の剛性を高くし、コンクリートスラブ２６の打設時に作業者が天端レベル調整用部材１０にぶつかったとしても、天端レベル調整用部材１０を倒れにくくすることができる。
【実施例２】
【００３２】
図１５〜図１８は、この発明の実施例２を示すものである。
図１５〜図１７に示すように、建築物の床面施工構造１０１において、建築用面域１０２には、地盤Ｇ上で砕石層１０３が設けられる。この砕石層１０３は、砕石１０４が積み重なって、転圧によって所定高さ（例えば、１００ｍｍ）に堅く形成される。
砕石層１０３の上方には、図１６に示すように、鉄筋１０５・１０５を網目状に並んで構成したスラブ筋１０６が、複数の保持台１０７によって砕石層１０３の上面から所定高さで水平方向に配置されている。
【００３３】
図１６、図１７に示すように、砕石層１０３上には、防水シート１０８を介してコンクリートスラブ（床版）１０９が打設される。このコンクリートスラブ１０９は、スラブ筋１０６を埋めるようにして、天端レベルＬまでの所定高さ（例えば、１５０ｍｍ）まで打設される。また、このコンクリートスラブ１０９は、多量の砂とセメントを混ぜて生成される。
コンクリートスラブ１０９を砕石層１０３に固定するために、コンクリートスラブ１０９の上方から下方の地盤Ｇに向かって固定用部材１１０が立設される。この固定用部材１１０は、所定間隔（例えば２ｍ）で複数本配設される。
この固定用部材１１０は、図１５に示すように、杭状であり、例えば、外径が１６ｍｍ程度であって、コンクリートスラブ１０９の貫通孔１０９Ａから砕石層１０３及び地盤Ｇへの侵入が容易になるように下端に先細り部１１１を備えるとともに、上部分にねじ部１１２を備える。このねじ部１１２は、固定用部材１１０にこの固定用部材１１０の長さの５０％以上の長さで上端から形成されている。
【００３４】
固定用部材１１０には、コンクリートスラブ１０９と砕石層１０３との間の防水シート１０８上で所定面域の板材１１３が嵌装されるとともに、この板材１１３の上方からねじ部１１２に固定用ナット１１４が螺着している。これにより、固定用部材１１０は、上方・下方への移動及び横方への傾倒が防止され、垂直方向に立設して動くことがない。板材１１３は、砕石層１０３の上面に凹凸が生じても、固定用部材１１０を砕石層１０３の上面（水平方向）に対して直角（垂直方向）に保持させる機能を有する。なお、板材１１３によって固定用部材１１０を適正に保持することができれば、固定用ナット１１４が不要となる。
【００３５】
図１５に示すように、固定用部材１１０には、天端レベル設定手段１１５が設置される。
この天端レベル設定手段１１５は、固定用部材１１０の上部のねじ部１１２に螺着された円筒部材からなる天端レベル調整用部材１１６と、この天端レベル調整用部材１１６の上面Ｐに取り付けられる天端レベル目印部材１１７とを備える。
天端レベル調整用部材１１６は、例えば、ナイロン（登録商標）系のプラスチック製であり、内周面が固定用部材１１０のねじ部１１２に螺合して回ることで、固定用部材１１０に対して上下動し、天端レベルＬを上下方向で調整させる。この天端レベル調整用部材１１６の上面Ｐは、各箇所において、レベル測定手段（図示せず）によってその高さ状態が計られる。
【００３６】
天端レベル目印部材１１７は、例えば、ナイロン（登録商標）系のプラスチック製で弾力性があり、下部のねじ部１１８が天端レベル調整用部材１１６の上面Ｐに形成したねじ穴１１９に螺着されて立設している。従って、天端レベル目印部材１１７は、弾力性を有することから、容易に弾性変形して壊れにくいものである。
この天端レベル目印部材１１７は、ねじ部１１８に上方に連設したレベル部１２０と、このレベル部１２０の上方に連設した先細り部１２１とを備える。レベル部１２０は、例えば、下側から、第１高さＨ１の第１レベル部（５ｍｍ程度）１２０Ａと、第２高さＨ２の第２レベル部（５ｍｍ程度）１２０Ｂと、第３高さＨ３の第３レベル部（５ｍｍ程度）１２０Ｃとからなる。天端レベル目印部材１１７の先細り部１２１は、無くてもよいものであるが、有ることによって作業者へ天端レベルＬをさらに解り易くすることができる。
【００３７】
この実施例２において、コンクリートスラブ１０９の打設の際に、コンクリートスラブ１０９の打設の作業者は、天端レベル目印部材１１７のレベル部１２０を目安にコンクリートスラブ１０９の打設をすることができる。この場合、作業者は、その作業に不慣れであっても、天端レベル目印部材１１７のレベル部１２０に注目してコンクリートスラブ１０９の打設を実施するので、天端レベルＬに合わせるようにしてコンクリートスラブ１０９の上面Ｆを所要高さにすることができる。
【００３８】
そして、図１７に示すように、コンクリートスラブ１０９の上面Ｆには、例えば、裏面の接着層（接着剤、張り付けモルタル）１２２により、複数のタイル１２３が並べて所要箇所に敷設される。
その後、天端レベル目印部材１１７は、ねじ部１１８がねじ穴１１９から外されたり、上面Ｆの部位から切り取られことにより、取り除かれる。
【００３９】
この結果、この実施例２の構造においては、簡単な構成で、コンクリートスラブ１０９の上面Ｆの不陸の発生を極力抑制して（±３〜４ｍｍ）、タイル１２３を安定して敷設することができる。これにより、コンクリートスラブ１０９の上面Ｆを指標する天端レベルＬを作業者へ容易に認識させることができるとともに、より確実にコンクリートスラブ１０９の上面Ｆを指標する天端レベルＬを作業者へ容易に確認させることができる。
【００４０】
なお、この実施例２では、以下のような変形例９、１０とすることも可能である。
図１９に示すように、変形例９としては、天端レベル設定手段１１５において、天端レベル調整用部材１１６は、例えば、プラスチック製のキャップ形状であり、固定用部材１１０のねじ部１１２に螺合される筒状部１２４と、この筒状部１２４の上面に水平方向で連設した天板１２５とからなる。この天板１２５の外縁部位のねじ孔１２６には、天端レベル目印部材１１７のねじ部１１８側が螺着されている。天端レベル目印部材１１７は、天板１２５の下方からの固定用ナット１２７によって天板１２５に固定される。
また、図２０に示すように、変形例１０としては、上記の変形例９の構造において、固定用部材１１０には、防水シート１０８上で二次製品部材（コンクリート材）１２８を配設する。この二次製品部材１２８は、固定用部材１１０のねじ部１１２に螺合されるねじ孔１２９を備える。二次製品部材１２８は、固定用部材１１０のねじ部１１２に螺合された固定用ナット１３０によって砕石層３側に押されている。
これにより、コンクリートスラブ１０９の上面Ｆを指標する天端レベルＬを作業者へ容易に認識させることができるとともに、固定用部材１１０をさらに堅固に保持することができる。
【産業上の利用可能性】
【００４１】
この発明に係る建築物の床面施工構造を、各種の構築物に適用可能である。
【符号の説明】
【００４２】
１  床面施工構造
２  建築用面域
３  砕石層
４  砕石
５  鉄筋
６  スラブ筋
７  スラブ筋の保持台
８  天端レベル設定手段
９  サポート部材
１０  天端レベル調整用部材
１１  天端ポイント部
１２  貫通孔
１３  支持穴
１４  固定用部材のスペーサ
１５  固定用部材
１６  固定用部材のねじ部
１７  ワッシャ
１８  固定用ナット
１９  スペーサのねじ孔
２０  天端レベル調整用部材のスペーサ
２１  天端レベル調整用部材のねじ部
２２  調整用ナット
２３  天端レベル目印部材
２４−１〜２４−３  立上り材
２５−１〜２５−３  連結材
２６  コンクリートスラブ
２７  接着層
２８  タイル
Ｆ  コンクリートスラブの上面
Ｌ  天端レベル
【図１】
2015021264.tif 000003
【図２】
2015021264.tif 000004
【図３】
2015021264.tif 000005
【図４】
2015021264.tif 000006
【図５】
2015021264.tif 000007
【図６】
2015021264.tif 000008
【図７】
2015021264.tif 000009
【図８】
2015021264.tif 000010
【図９】
2015021264.tif 000011
【図１０】
2015021264.tif 000012
【図１１】
2015021264.tif 000013
【図１２】
2015021264.tif 000014
【図１３】
2015021264.tif 000015
【図１４】
2015021264.tif 000016
【図１５】
2015021264.tif 000017
【図１６】
2015021264.tif 000018
【図１７】
2015021264.tif 000019
【図１８】
2015021264.tif 000020
【図１９】
2015021264.tif 000021
【図２０】
2015021264.tif 000022
【図２１】
2015021264.tif 000023
【図２２】
2015021264.tif 000024
【図２３】
2015021264.tif 000025
【図２４】
2015021264.tif 000026